(57)【要約】使用者の指にはまり、それに加えて用具を握るためのホルダーであって、上記ホルダーは、少なくとも一部分が弾性を有するバンドと少なくとも一つの補強部材（１２）とを備え、上記バンドは第１の部位（１１）及び第２の部位（１３）を有し、該第１及び第２の部位は実質上同じ幅である、または上記第１及び第２の部位のうち一方は幅が狭く、かつ他方の部位は幅が広いことを特徴とする。
2004512986.tif 000002
【特許請求の範囲】
【請求項１】
使用者の指にはまり、それに加えて用具を握るためのホルダーであって、
上記ホルダーは、少なくとも一部分が弾性を有するバンドと少なくとも一つの補強部材とを備え、上記バンドは第１の部位及び第２の部位を有し、該第１及び第２の部位は実質上同じ幅である、または上記第１及び第２の部位のうち一方は幅が狭く、かつ他方の部位は幅が広いことを特徴とするホルダー。
【請求項２】
上記の第１及び第２の部位が、実質上同じ幅であることを特徴とする請求項１に記載のホルダー。
【請求項３】
上記の第１または第２の部位のうち一方の幅が、その他方の幅より狭いことを特徴とする請求項１に記載のホルダー。
【請求項４】
少なくとも幅の広い方の部位が弾性を有していることを特徴とする請求項３に記載のホルダー。
【請求項５】
上記バンドは弾性体の連続的な閉じたループを備えていることを特徴とする請求項４に記載のホルダー。
【請求項６】
上記バンドが、閉じたループを形成するために互いに付着されることのできる１つまたはそれ以上の材料からなることを特徴とする請求項１〜４のいずれか１項に記載のホルダー。
【請求項７】
付着するための手段が、ベルクロ（商標登録）、スナップボタン、かぎホックまたはバックルであることを特徴とする請求項６に記載のホルダー。
【請求項８】
上記バンドが、用具が挿入されうる少なくとも１つの切り込みを有していることを特徴とする請求項１〜７のいずれか１項に記載のホルダー。
【請求項９】
上記バンドが少なくとも２つの切り込みを有しており、これによりループを形成し、上記切り込みの両方を通して用具が挿入されうることを特徴とする請求項８に記載のホルダー。
【請求項１０】
第１または第２の部位のうち一方の幅が他方の部位の幅より狭く、幅の広い部位が切り込みを有していることを特徴とする請求項８または９に記載のホルダー。
【請求項１１】
さらに用具が挿入されうるバンドと共にループを形成する少なくとも部分的な弾性体の細片を含むことを特徴とする請求項１〜７のいずれか１項に記載のホルダー。
【請求項１２】
上記バンドが２つの補強部材を有することを特徴とする請求項１〜１１のいずれか１項に記載のホルダー。
【請求項１３】
上記の２つの補強部材は互いに正反対であることを特徴とする請求項１１に記載のホルダー。
【請求項１４】
少なくとも１つの補強部材は、由来の識別のための手段を備えていることを特徴とする請求項１〜１３のいずれか１項に記載のホルダー。
【請求項１５】
添付図面を参照にして、実質的に上記に示されているホルダー。
【発明の詳細な説明】
本発明は、使用者の指にはまり、それに加えて用具を握るためのホルダーに関する。
【０００１】
筆記用具を使用者の指または手へ添えるための既知の道具はいくつかある。従来、これらの道具は、指にはまるまたは手の周りを縛るような硬直バンドを備え、かつ筆記用具が使用者の手の部分で握られるように、鉛筆またはその他の筆記用具が挿入されうる別個のより小さなバンドを付属している。
【０００２】
しかしながら、上記の既知の道具に関するいくつかの欠点がある。例えば、上記の道具、特に使用者の手のひらを完全に包むような上記の道具では、装着するには窮屈であり、指または手の動きを制限するかもしれない。当然のことながら、上述したことは、用具を使用している時、または用具は使用されておらず単に使用者の手に添えられている時のどちらかに高度な柔軟性を必要とする利用者にとってかなりの不利な点である。さらに、多くの場合において、これらの既知の道具は、単に使用者の手の部分で用具を添えるための手段を提供しており、そして、使用者の指及び／または片方の手を使っているとき、用具をホルダーの内部で必要な限り上下に動かし、使用する用具を正確に配置するために使用者によるさらなる調節を必要とするかもしれない。さらに、既知の道具は、一つの用具が、いかなるときにも使用者の手の部分で添えられることが可能になっただけだが、多様な用具に対する提供は成されていない。
【０００３】
従って、本発明の目的は、上述の不利な点を克服しようとすることである。
【０００４】
本発明によれば、使用者の指にはまり、それに加えて用具を握るためのホルダーであって、上記ホルダーは、少なくとも一部分が弾性を有するバンドと少なくとも一つの補強部材とを備え、上記バンドは第１の部位及び第２の部位を有し、該第１及び第２の部位は実質上同じ幅である、または上記第１の部位及び第２の部位のうち一方は幅が狭く、かつ他方の部位は幅が広いことを特徴とする。
【０００５】
使用時に、使用者が用具を必要としているかどうかによって用具を繰り返し握ったり手放したりすることができるように、上記ホルダーは、使用者の人差し指に用具を固定する。使用者がもう用具の使用を必要としないとき、使用者は単に自分の握りを緩めれば、用具は、使用者が再び取り上げるために上記ホルダーにより保持される用意がされている。さらに、使用者が用具をつかむとき、上記ホルダーは、使用者の手での用具の正確な位置合わせを容易にするようような方向に用具を使用者の指に固定する。本発明にかかるホルダーは一つ以上の用具に適用することができる。これにより、使用者は、もう一つの用具を拾うために一つの用具を落とす必要もなく容易に一つの用具からもう一つの用具へ取り替えることができる。このような様々な作業（ｍｕｌｔｉｔａｓｋｉｎｇ）性能は、例えば、絵を描いているときの画家にとって有益である。すなわち、画家は、他の作業を行う（例えば、鉛筆の線を消す）ために、ペイントブラシもしくは鉛筆を置く必要がない。
【０００６】
本発明にかかるホルダーの他の可能な用途は、一連の異なるブラシを利用する必要があるメークアップアーティストによる利用、タトゥーアーティストによる利用、及び教育道具としての利用（例えば、子供に書き方を教えるのを助けるため、もしくは筆記用具や箸などのように、ある用具を握ることに困難を有する人を助けるため）を含む。
【０００７】
上記バンドの弾性部位はバンドに伸張性を与える。それゆえ、上記ホルダーは異なったサイズの指にはまり、まわりを握ることができる。
【０００８】
使用時に、上記の第１の部位は、指の上に設けられていることが好ましい。一方、上記の第２の部位は、概して指の下側に設けられている。
【０００９】
上記補強部材は、硬質パットであってもよい。この硬質パッドに対して、使用者は親指で、使用時に用具を安定にするために押圧することができ、上記硬質パットはよりよい調整を提供することができる。この補強部材は、使用者の指にはまっている、またははずされるときにバンドがねじれることから防止する。
【００１０】
上記第１及び第２の部位は実質同じ幅であってもよい。あるいは、第１及び第２の部位のうち一方の幅は、他方の部位の幅よりせまくてもよい。これにより、上記の狭いほうの部位により、使用者は自由に自分の指を曲げることができ、一方で、上記の広いほうの部位は、指に対して用具をしっかりと握るための基部を提供していることはよく理解されうる。
【００１１】
本発明では、バンドの第１及び第２の部位のうち少なくとも広いほうが弾性を有していることが好ましい。さらに、上記バンドが弾性体の連続した閉じたループであることがより好ましい。
【００１２】
もしくは、上記バンドは、様々なサイズの閉じたループを形成するために、それ自体または互いをそれぞれ付着することのできる１つまたはそれ以上の材料からなっていてもよい。付着のための手段としては、例えば、ベルクロ（商標登録）、スナップボタン、かぎホックまたはバックルを備えていてもよい。
【００１３】
本発明では、上記バンドには、好ましくは第１及び第２の部位のうち広いほうに少なくとも１つの切り込み有していてもよい。上記切り込みを通して挿入が容易になり、用具を挿入することができる。上記バンドの第２の部位には、少なくとも２つの切り込みを有していてもよい。これにより、ループを形成し、該ループを通して用具が挿入されうる。
【００１４】
もしくは、上記ホルダーは、バンドのループを形成する少なくとも部分的な弾性体の細片を備えていてもよい。上記バンドのループを通して用具は挿入されうる。
【００１５】
好ましい実施例として、上記バンドは２つの補強部材を備えている。上記の２つの補強部材は、互いに正反対であることがさらに好ましい。
【００１６】
少なくとも１つの補強部材は、由来の識別のための手段、例えば、商標登録または他の販売題材（ｍａｒｋｅｔｉｎｇ ｍａｔｅｒｉａｌ）を備えているほうが好都合である。
【００１７】
本発明の実施例は、以下の添付図面を参照にして、詳細に記載される。
図１は、本発明の第１の形態にかかるホルダーの透視図である。
図２は、図１に示すホルダーの正面図である。
図３は、図１及び２に示すホルダーの側面図である。
図４は、図１〜３に示すホルダーの平面図である。
図５は、図１〜４に示すホルダーの下面図である。
図６は、本発明の第２の形態にかかるホルダーの下面図である。
図７は、本発明の第３の形態にかかるホルダーの透視図である。
図８は、図７に示すホルダーの正面図である。
図９は、図７及び８に示すホルダーの側面図である。
図１０は、図７〜９に示すホルダーの上からみた透視側面図である。
【００１８】
図１〜５を参照にして、本発明の第１形態にかかるホルダーは、第１の部位１１及び第２の部位１３を備えたバンドから成る。第１の部位１１及び第２の部位１３は弾性体でできており、連続的なループを形成している。第２の部位１３はその中に切り込み１４を有しており、使用時に、該切り込み１４を通して用具が挿入されうる。これにより、第２の部位１３と使用者の指との間で用具をしっかりと握ることができる。上記バンドは、さらに２つの補強部材１２を含み、該補強部材１２は上記バンドの両側で正反対にある。補強部材１２は、由来の識別のための手段、例えば、商標登録または他の販売題材（ｍａｒｋｅｔｉｎｇ ｍａｔｅｒｉａｌ）を備えることができる。
【００１９】
図６を参照にすると、本発明の第２の形態にかかるホルダーは、第１の形態とほぼ同一であるが、第１の形態での１つの切り込み１４ではなく、第２の部位１３にループ１５を形成する２つの切り込み１４を有している。従って、握られている用具は、上記ホルダーにより握られるようにループ１５を通過することができる。
【００２０】
図７〜１０を参照にすると、本発明の第３の形態にかかるホルダーは、上述の第１及び第２の形態とほぼ同一であるが、さらに上記バンドにループを形成する材料１６の細片を備えている。上述した第２の形態のループ１５と同様に、握られている用具は、上記ホルダーにより握られるようにループ１６を通過することができる。
【００２１】
本発明にかかるホルダーは、絵画／筆記用具を握るための使用を対象としているが、他の適当な手持ち式の用具を握るために使用され、子供に書き方を教えるのに特に有益であることは、当業者によってよく理解されるであろう。
【図面の簡単な説明】
【図１】
図１は、本発明の第１の形態にかかるホルダーの透視図である。
【図２】
図２は、図１に示すホルダーの正面図である。
【図３】
図３は、図１及び２に示すホルダーの側面図である。
【図４】
図４は、図１〜３に示すホルダーの平面図である。
【図５】
図５は、図１〜４に示すホルダーの下面図である。
【図６】
図６は、本発明の第２の形態にかかるホルダーの下面図である。
【図７】
図７は、本発明の第３の形態にかかるホルダーの透視図である。
【図８】
図８は、図７に示すホルダーの正面図である。
【図９】
図９は、図７及び８に示すホルダーの側面図である。
【図１０】
図１０は、図７〜９に示すホルダーの上からみた透視側面図である。
【国際公開パンフレット】
2004512986.tif 000003
2004512986.tif 000004
2004512986.tif 000005
2004512986.tif 000006
2004512986.tif 000007
2004512986.tif 000008
2004512986.tif 000009
2004512986.tif 000010
2004512986.tif 000011
2004512986.tif 000012
2004512986.tif 000013
2004512986.tif 000014
2004512986.tif 000015
【手続補正書】
【提出日】平成14年12月9日(2002.12.9)
【手続補正１】
【補正対象書類名】明細書
【補正対象項目名】特許請求の範囲
【補正方法】変更
【補正の内容】
【特許請求の範囲】
【請求項１】
使用者の指にはまり、それに加えて用具を握るためのホルダーであって、
上記ホルダーは、少なくとも一部分が弾性を有するバンドと少なくとも一つの補強部材（１２）とを備えていることを特徴とするホルダー。
【請求項２】
上記バンドは、第１（１１）及び第２（１３）の部位を備え、上記の第１及び第２の部位が、実質上同じ幅であることを特徴とする請求項１に記載のホルダー。
【請求項３】
上記バンドは、第１（１１）及び第２（１３）の部位を備え、上記の第１または第２の部位のうち一方の幅が、その他方の幅より狭いことを特徴とする請求項１に記載のホルダー。
【請求項４】
少なくとも幅の広い方の部位が弾性を有していることを特徴とする請求項３に記載のホルダー。
【請求項５】
上記バンドは弾性体の連続的な閉じたループを備えていることを特徴とする請求項４に記載のホルダー。
【請求項６】
上記バンドが、閉じたループを形成するために互いに付着されることのできる１つまたはそれ以上の材料からなることを特徴とする請求項１〜４のいずれか１項に記載のホルダー。
【請求項７】
付着するための手段が、ベルクロ（商標登録）、スナップボタン、かぎホックまたはバックルであることを特徴とする請求項６に記載のホルダー。
【請求項８】
上記バンドが、用具が挿入されうる少なくとも１つの切り込み（１４）を有していることを特徴とする請求項１〜７のいずれか１項に記載のホルダー。
【請求項９】
上記バンドが少なくとも２つの切り込み（１４）を有しており、これによりループを形成し、上記切り込みの両方を通して用具が挿入されうることを特徴とする請求項８に記載のホルダー。
【請求項１０】
上記バンドは、第１（１１）及び第２（１３）に部位を備え、第１または第２の部位のうち一方の幅が他方の部位の幅より狭く、幅の広い部位が切り込みを有していることを特徴とする請求項８または９に記載のホルダー。
【請求項１１】
さらに用具が挿入されうるバンドと共にループを形成する少なくとも部分的な弾性体の細片（１６）を含むことを特徴とする請求項１〜７のいずれか１項に記載のホルダー。
【請求項１２】
上記バンドが２つの補強部材（１２）を有することを特徴とする請求項１〜１１のいずれか１項に記載のホルダー。
【請求項１３】
上記の２つの補強部材（１２）は互いに正反対であることを特徴とする請求項１１に記載のホルダー。
【請求項１４】
少なくとも１つの補強部材（１２）は、由来の識別のための手段を備えていることを特徴とする請求項１〜１３のいずれか１項に記載のホルダー。
【請求項１５】
添付図面を参照にして、実質的に上記に示されているホルダー。
【国際調査報告】
2004512986.tif 000016
2004512986.tif 000017
2004512986.tif 000018